(57)【要約】    【課題】  映像再生中に電話着信があった場合に視聴者がその着信を知りつつ視聴を続けることができる電話機能を備えた映像再生装置を提供する。    【解決手段】  電話回線又はネットワークを介して供給される電話着信信号を検出する着信検出手段と、電話着信信号が検出されたとき着信表示指令信号を発生する制御手段と、着信表示指令信号に応答して電話着信を示す文字列データを映像信号に重畳する再生手段と、を備えた。【選択図】  図１
2007251232.tif 000002
【特許請求の範囲】
【請求項１】
映像信号を再生出力する映像再生装置であって、
電話回線又はネットワークを介して供給される電話着信信号を検出する着信検出手段と、
前記着信検出手段によって前記電話着信信号が検出されたとき着信表示指令信号を発生する制御手段と、
前記着信表示指令信号に応答して電話着信を示す文字列データを前記映像信号に重畳する再生手段と、を備えたことを特徴とする映像再生装置。
【請求項２】
前記電話回線又はネットワークと外部接続の電話機との間に設けられ、前記電話機を制御する電話機制御手段を有し、
前記電話機制御手段は前記着信検出手段によって前記電話着信信号が検出されたとき前記電話機の着信音発生器の作動を禁止することを特徴とする請求項１記載の映像再生装置。
【請求項３】
前記電話回線又はネットワークと外部接続の電話機との間に設けられ、前記電話機のオフフックを検出する電話機制御手段と、
前記着信検出手段によって前記電話着信信号が検出されてから所定時間内に前記電話機制御手段によって前記電話機のオフフックが検出されないとき留守番電話機能を起動する留守番電話手段と、を備え、
前記留守番電話機能は、前記電話着信信号に対する応答信号を発生してその応答信号を発信先の電話機に対して送信し、留守電用ガイダンスデータを記録手段から読み出してその留守電用ガイダンスデータを前記発信先の電話機に対して送信し、更に、前記電話回線又はネットワークを介して通話音声信号を受信したならば、その受信音声信号を留守メッセージデータとして前記記録手段に保存する機能であることを特徴とする請求項１記載の映像再生装置。
【請求項４】
前記留守番電話機能には、前記記録手段に前記留守メッセージデータを保存した場合に留守メッセージ有り表示指令信号を出力する機能が含まれ、
前記再生手段は、前記留守メッセージ有り表示指令信号に応答して留守メッセージ有りを示す文字列データを前記映像信号に重畳することを特徴とする請求項１又は３記載の映像再生装置。
【請求項５】
前記制御手段は、前記電話着信信号から発信先の電話機に割り当てられた電話番号を抽出し、その電話番号を含む前記着信表示指令信号を前記再生手段に供給し、
前記文字列データは電話着信と共に電話番号を示すことを特徴とする請求項１記載の映像再生装置。
【請求項６】
電話番号と名前とを対応させて電話帳データとして保存した記録手段を有し、
前記制御手段は、前記電話着信信号から発信先の電話機に割り当てられた電話番号を抽出し、その電話番号に対応した名前を電話帳データを検索して前記記録手段から読み出し、前記電話番号及び読み出した名前を含む前記着信表示指令信号を前記再生手段に供給し、
前記文字列データは電話着信と共に電話番号及び名前を示すことを特徴とする請求項１記載の映像再生装置。
【請求項７】
前記映像再生装置はコンピュータからなり、前記コンピュータはソフトウェア処理によって前記着信検出手段による着信検出機能を含む電話機能を実現することを特徴とする請求項１記載の映像再生装置。
【請求項８】
少なくとも留守番電話機能の起動を指示するリモートコントロール信号を送信する送信部と、
前記リモートコントロール信号を受信する受信部と、を有し、
前記再生手段による前記文字列データの前記映像信号への重畳後、前記受信部が前記リモートコントロール信号を受信したとき前記留守番電話手段は前記留守番電話機能を起動することを特徴とする請求項１又は３記載の映像再生装置。
【発明の詳細な説明】
【技術分野】
【０００１】
本発明は、電話機能を備えて映像信号を出力する映像再生装置に関する。
【背景技術】
【０００２】
ＤＶＤレコーダ等の映像再生装置で映画や記録テレビ放送番組の再生中に、電話の着信音が鳴った場合には、電話に応答するために視聴者がリモコンで一時停止の操作を行い、電話での通話が終わったらリモコンで一時停止の解除操作を行って一時停止箇所からの再生に戻ることが通常である。
【０００３】
このように映画や番組視聴中の電話着信時には視聴者にとって煩わしい操作を必要とするので、それに対処する方法が既に考えられている。例えば、特許文献１には、記録手段に記録されたテレビ放送番組を再生中に電話の呼出信号を検出した場合に、記録手段を一時停止状態にして、その後、電話の終了信号を検出すると、記録手段の一時停止を解除して再生動作を再開させることにより、視聴者は電話に中断されることなく、テレビ放送番組を連続して視聴することを可能にする装置が示されている。
【特許文献１】特開２００２−３３５４７９号公報
【発明の開示】
【発明が解決しようとする課題】
【０００４】
しかしながら、映画やテレビ放送番組の視聴中には視聴者にとっては電話が掛かって来ても応答したくない場合がある。また、映画やテレビ放送番組の視聴中に電話の着信音が鳴ると、気分がそがれてしまうという問題もある。
【０００５】
そこで、本発明の目的は、映像再生中に電話着信があった場合に視聴者がその着信を知りつつ視聴を続けることができる電話機能を備えた映像再生装置を提供することである。
【課題を解決するための手段】
【０００６】
本発明の映像再生装置は、映像信号を再生出力する映像再生装置であって、電話回線又はネットワークを介して供給される電話着信信号を検出する着信検出手段と、前記着信検出手段によって前記電話着信信号が検出されたとき着信表示指令信号を発生する制御手段と、前記着信表示指令信号に応答して電話着信を示す文字列データを前記映像信号に重畳する再生手段と、を備えたことを特徴としている。
【０００７】
本発明によれば、映像信号による映像表示中に電話着信があった場合にはその映像に電話着信を示す文字列が挿入表示されるので、着信音を発生しなくても視聴者がその着信を知ることができる。
【発明を実施するための最良の形態】
【０００８】
以下、本発明の実施例を図面を参照しつつ詳細に説明する。
【０００９】
図１は本発明が適用された電話機能を備えた映像記録再生装置を示している。この映像記録再生装置は、チューナ部１、映像再生部２、ハードディスクドライブ３、コントローラ部４、及び電話機能部５を備えている。
【００１０】
チューナ部１は、アンテナ７を介して任意のチャンネルのテレビ放送信号を受信し、受信放送信号からＭＰＥＧ２ ＴＳ信号等のディジタル圧縮映像信号を抽出する。チューナ部１は映像再生部２及びハードディスクドライブ３に接続されており、ディジタル圧縮映像信号は映像再生部２及びハードディスクドライブ３に供給されるようになっている。ハードディスクドライブ３はチューナ部１からのディジタル圧縮映像信号を内部のハードディスク（図示せず）に書き込み、ハードディスクに書き込まれたディジタル圧縮映像信号を読み出して映像再生部２に供給する。映像再生部２はチューナ部１又はハードディスクドライブ３からのディジタル圧縮映像信号を復調して映像信号及び音声信号を出力する。映像再生部２には受像機（モニタ）６が接続される。受像機６は映像再生部２から出力される映像信号及び音声信号を外部入力端子に受け入れ、映像信号に応じた映像を表示すると共に音声信号に応じた音響出力を発する。
【００１１】
電話機能部５は回線インタフェース１１、呼制御部１２、留守電制御部１３及び電話機制御部１４を備えている。回線インタフェース１１は電話回線又はＩＰネットワークに接続され、外部からの信号を受信すると共に電話機能部５内の他の各部からの信号を外部に送信する。呼制御部１２は、電話機能部５の発信、着信及び切断を制御し、発信時には発信の呼制御信号を回線インタフェース１１を介して電話回線又はＩＰネットワークに出力し、着信時には着信の呼制御信号を回線インタフェース１１を介して受信する。留守電制御部１３は留守番電話モード時に、自動的に着信処理を行ってメッセージ信号をハードディスクドライブ３に供給する。ハードディスクドライブ３はメッセージ信号を上記のハードティスクに書き込んで記録する。
【００１２】
ハードディスクドライブ３のハードティスクには、図２に示すように、ディジタル圧縮映像信号がコンテンツ単位で書き込まれると共に、電話帳、留守電用ガイダンス及び留守メッセージ各々のデータが書き込まれる。
【００１３】
電話機制御部１４には電話機８が外部接続される。電話機制御部１４は着信時に電話機８の着信音発生器（図示せず）を活性化させ、電話機８の受話音声信号及び送話音声信号を制御する。なお、電話機制御部１４には電話機８ではなく、単なる送受話器であるハンドセットが接続されるようにしても良い。
【００１４】
コントローラ部４は、チューナ部１、映像再生部２、ハードディスクドライブ３、呼制御部１２、留守電制御部１３及び電話機制御部１４各々の動作を制御する。
【００１５】
次に、かかる構成の本発明による映像記録再生装置の動作について説明する。映像再生部２から受像機６に映像信号及び音声信号が出力され、受像機６には映像が表示されているとする。
【００１６】
電話回線又はＩＰネットワークから着信の呼制御信号（電話着信信号）が回線インタフェース１１を介して呼制御部１２に供給されると、図３に示すように、呼制御部１２はその着信の呼制御信号を検知し、コントローラ部４に対して着信通知信号を出力する（ステップＳ１）。着信通知信号には、発信先の電話機に割り当てられた電話番号の情報が含まれる。
【００１７】
コントローラ部４は着信通知信号に応答して映像再生部２が映像信号及び音声信号を出力している映像出力状態にあるか否か判別する（ステップＳ２）。映像再生部２は映像信号及び音声信号を出力している映像出力状態にあるときにはコントローラ部４に対して映像出力状態信号を出力する。よって、コントローラ部４は映像出力状態信号が供給されているときには映像出力状態と判断し、映像出力状態信号が供給されていないときには非映像出力状態と判断する。コントローラ部４は映像出力状態と判断した場合には、電話機制御部１４に対して映像出力通知信号を出力する（ステップＳ３）。電話機制御部１４は映像出力通知信号に応答して電話機８の着信音発生器の作動を禁止し（ステップＳ４）、更に電話機８のオフフック検出待ち状態となる（ステップＳ５）。すなわち、ステップＳ４では、電話機８の着信音発生器の作動が禁止されるので、この映像出力状態で着信音が電話機８では発生しない。電話機制御部１４は電話機８の送受話器を電話機８本体から外したことを検出する状態となる。なお、ステップＳ２の判別結果が非映像出力状態で有る場合には、電話機制御部１４はステップＳ５の電話機８のオフフック検出待ち状態となり、着信音発生器が着信音を発するように電話機８を制御する。
【００１８】
コントローラ部４はステップＳ３の実行後、直ちに映像再生部２に着信表示指令信号を出力する（ステップＳ６）。この着信表示指令信号にはステップＳ１の着信通知信号に含まれていた電話番号の情報が含まれる。映像再生部２は着信表示指令信号に応答して文字列データを作成してその文字列データを出力映像信号に重畳させる（ステップＳ７）。文字列データは電話着信有りと発信先の電話番号とを示すデータである。よって、受像機６には例えば、図４に示すように「電話着信有り03-xxxx-xxxx」の如き文字列が表示中の映像に重畳されて表示される。受像機６の表示映像及び発生音声を視聴中のユーザは、その文字列の表示を視認することにより電話着信を知ることになる。ユーザは、電話着信を知り、それに応答する場合には電話機８の送受話器を外す。電話機制御部１４は電話機８のオフフックを検出するので、オフフック検出信号が電話機制御部１４から呼制御部１２に供給され、呼制御部１２は呼制御信号に対する応答信号を回線インタフェース１１を介して電話回線又はＩＰネットワークに出力し、それが発信先の電話機に達することにより通話が開始される。
【００１９】
図３に示した動作においては、テレビ放送番組や録画番組の視聴中のユーザは、電話着信時に着信音が発せられないので、着信音に邪魔されることにより気分がそがれることがなく番組を継続して視聴することができる。また、電話着信有りを示す文字列が番組映像中に重畳表示されるので、着信音が発せられなくてもユーザは電話着信を知ることができる。
【００２０】
コントローラ部４は、ステップＳ６においては図５に示すように、電話番号の情報に基づいてハードディスクドライブ３の電話帳データを検索して登録該当者があるか否かを判別し（ステップＳ６Ａ）、登録該当者が有るならば、その名前を読み出して電話番号及び発信者名前を含む着信表示指令信号を映像再生部２に出力し（ステップＳ６Ｂ）、登録該当者が無いならば、電話番号を含む着信表示指令信号を映像再生部２に出力する（ステップＳ６Ｃ）ようにしても良い。ステップＳ６Ｂが実行された場合に、映像再生部２は電話着信有りと発信先の電話番号と発信者名前を示す文字列データを作成して出力映像信号に重畳させる。
【００２１】
また、図３に示した動作は留守番電話機能が無効の場合にはついて説明したが、留守番電話機能が有効の場合には映像記録再生装置の各部は次のように動作する。
【００２２】
電話回線又はＩＰネットワークから着信の呼制御信号が回線インタフェース１１を介して呼制御部１２に供給されると、図６に示すように、呼制御部１２はその着信の呼制御信号を検知し、コントローラ部４に対して着信通知信号を出力し（ステップＳ１）、留守電制御部１３に対しても着信通知信号を出力する（ステップＳ１１）。留守電制御部１３への着信通知信号には、発信先の電話機に割り当てられた電話番号の情報が含まれなくても良い。
【００２３】
留守電制御部１３は、電話機制御部１４を介して応答監視する（ステップＳ１２）。すなわち、電話機８のオフフックを監視する。留守電制御部１３は、着信通知信号を受けた後、設定時間が経過したか否かを判別する（ステップＳ１３）。設定時間内に電話機８のオフフックが行われなかった場合には留守番電話モードに移行する（ステップＳ１４）。
【００２４】
留守番電話モードになると、留守電制御部１３から応答信号が発生され、その応答信号は発信先の電話機に送信される（ステップＳ１５）。応答信号は呼制御部１２、回線インタフェース１１、電話回線又はＩＰネットワークを介して発信先の電話機に達し、これにより通話可能な通話ラインが形成される。留守電制御部１３はハードディスクドライブ３から留守電用ガイダンスデータを読み出し、その留守電用ガイダンスデータを発信先の電話機に送信する（ステップＳ１６）。留守電用ガイダンスデータは例えば、留守中或いは現在応答できない状態にあることを示す音声データであり、呼制御部１２、回線インタフェース１１、電話回線又はＩＰネットワークを介して発信先の電話機に達し、発信先の電話機で音声として例えば、「ただいま留守にしております。ピーという発信音が鳴りましたらメッセージをお願いします。」の如く出力される。留守電制御部１３は留守電用ガイダンスデータの送信後、相手からの通話音声の受信があるか否かを判別する（ステップＳ１７）。呼制御部１２を介して通話音声を受信したならば、その受信音声を発信相手の留守メッセージデータとして保存することをハードディスクドライブ３に指令する（ステップＳ１８）。ハードディスクドライブ３は留守電制御部１３から供給される留守メッセージデータを内部のハードディスクに書き込む。
【００２５】
留守電制御部１３は、ステップＳ１８の実行後、オンフック信号を呼制御部１２に供給して呼制御部１２に通話ラインを切断処理させる（ステップＳ１９）。
【００２６】
留守電制御部１３は、更に、コントローラ部４を介して映像再生部２に留守メッセージ有り表示指令信号を出力する（ステップＳ２０）。映像再生部２は留守メッセージ有り表示指令信号に応答して文字列データを作成してその文字列データを出力映像信号に重畳させる（ステップＳ２１）。この文字列データは留守メッセージ有りを示すデータである。よって、受像機６には留守メッセージ有りの文字列が表示中の映像に重畳されて表示される。表示映像及び発生音声を視聴中のユーザは、その文字列の表示を視認することにより発信相手の留守メッセージの存在を知ることになり、その留守メッセージを聴取するための操作をすることができる。
【００２７】
図６に示した動作においては、電話機８に留守番電話機能がない場合、或いは電話機８に備えられた留守番電話機能が未設定である場合であっても、自動的に留守番電話モードに移行して発信相手の留守メッセージデータをハードディスクに残すことができるので、テレビ放送番組や録画番組の視聴中のユーザは、その視聴後、メッセージを聴取することができる。
【００２８】
なお、上記した実施例は、本発明を映像記録再生装置に適用した例であるが、本発明は記録機能を有していない映像再生装置にも当然適用することができる。
【００２９】
また、上記した実施例においては、映像記録再生装置にコンピュータを用いた場合には、電話機能部５をソフトフォンとして形成していも良い。すなわち、コンピュータがソフトウェア処理によって電話機能を実現するのである。
【００３０】
更に、上記した実施例においては、電話着信後、設定時間内に電話機８のオフフックを検出しない場合には留守番電話機能が起動されるが、映像再生装置にリモートコントロールの送信部及び受信部が備えられて留守番電話機能を制御するリモートコントロール信号の送受信が可能にされているならば、電話着信有りの文字列データの映像信号への重畳後、ユーザがそのリモートコントロール信号が送信されるように送信部のボタン操作し、受信部が送信部からのリモートコントロール信号を受信したとき留守電制御部１３は留守番電話機能を起動するようにしても良い。
【００３１】
上記したように、本発明によれば、映像信号による映像表示中に電話着信があった場合にはその映像に電話着信を示す文字列が挿入表示されるので、着信音を発生しなくても視聴者がその着信を知ることができる。
【図面の簡単な説明】
【００３２】
【図１】本発明の実施例を示すシステム図である。
【図２】ハードディスクの記録内容を示す図である。
【図３】図１の装置の動作を示すシーケンス図である。
【図４】電話着信有りの文字列の表示例を示す図である。
【図５】コントローラ部の着信表示指令動作を示すフローチャートである。
【図６】図１の装置の動作を示すシーケンス図である。
【符号の説明】
【００３３】
１  チューナ部
２  映像再生部
３  ハードディスクドライブ
４  コントローラ部
５  電話機能部
１１  回線インタフェース
１２  呼制御部
１３  留守電制御部
１４  電話機制御部
【図１】
2007251232.tif 000003
【図２】
2007251232.tif 000004
【図３】
2007251232.tif 000005
【図４】
2007251232.tif 000006
【図５】
2007251232.tif 000007
【図６】
2007251232.tif 000008